(57)【要約】【課題】使用時に、座体を安定して強力に支持することができるとともに、不使用時には、座体を水平状態のまま移動させて、机の下等にコンパクトに収容しうるようにした、構造が簡単で、安価に製造できる椅子を提供する。【解決手段】ベース５に立設した脚支柱６の上端部に座支基８を設け、この座支基８に座体１１を前後方向に摺動自在に装着し、背凭れ２２を支持する背凭れ支杆２１の下端部２１ｃを、前記ベース５または脚支柱６の下端部に、左右方向を向く軸２３をもって枢着し、かつ前記座体１１後部を、背凭れ支杆２１に、該背凭れ支杆２１の前後方向の回動に連動して、前後方向に移動するように、連係手段２５により連係する。【選択図】        図１
2004202054.tif 000002
【特許請求の範囲】
【請求項１】
ベースに立設した脚支柱の上端部に座支基を設け、この座支基に座体を前後方向に摺動自在に装着し、背凭れを支持する背凭れ支杆の下端部を、前記ベースまたは脚支柱の下端部に、左右方向を向く軸をもって枢着し、かつ前記座体後部を、背凭れ支杆に、該背凭れ支杆の前後方向の回動に連動して、前後方向に移動するように、連係手段により連係したことを特徴とする椅子。
【請求項２】
連係手段を、座体に回動可能に支持された左右方向を向く軸の両端に、背凭れ支杆にその長手方向に摺動自在に係合する摺動部材を連設したものとした請求項１記載の椅子。
【請求項３】
座体を前方に向かって付勢する付勢手段を、座支基と座体との間に設けた請求項１または２に記載の椅子。
【請求項４】
座支基の両側部に複数の受けローラを軸着し、かつ座体の下面の両側部に設けた前後方向を向く内向きコ字状のレールを、各受けローラに外嵌した請求項１〜３のいずれかに記載の椅子。
【発明の詳細な説明】
【０００１】
【発明の属する技術分野】
本発明は、学校の教室や講堂等において使用される椅子であって、不使用時には、背凭れを机に向かって前方に移動させておくようにしたものに関する。
【０００２】
【従来の技術】
この種の従来の椅子としては、カウンターの下部に、左右方向を向く軸をもって枢着した脚支柱の上端部に座体を固着し、上記脚支柱を、後傾して座体をほぼ水平に支持する使用位置から、ほぼ垂直をなして、座体がカウンターの下に収容される不使用位置に向かって、常時ばね付勢したものがある（例えば、特許文献１参照）。
【０００３】
また、平行リンク機構を用いて、座体を、使用位置から、机に近接する不使用位置まで前後方向に移動しうるようにしたものもある（例えば、特許文献２参照）。
【０００４】
【特許文献１】
特許第２８１５３４１号公報（第３〜４頁、第１図）。
【特許文献２】
特開２０００−１３９６０３号公報（第２〜３頁、図１）。
【０００５】
【発明が解決しようとする課題】
しかし、前者は、座体が脚支柱と一体的に固着されているので、不使用位置としたとき、座面が脚支柱の回動に伴って前方に傾斜するため、座体上に荷物を載置したままで不使用位置とすると、荷物が座体より落下するという問題がある。
【０００６】
後者は、使用位置としたとき、後傾した２本の平行リンクのみで座体を支持するので、各平行リンクの下端の枢着部に大きな負荷が掛り、頑丈な構造としなければならない。さらに座体が前方の不使用位置に移動する際、座体は、平行リンクの回動に伴って、移動途中で上方に持ち上げられるため、その分だけ机の下方に大きな収容空間を確保しなければならない。
【０００７】
本発明は、従来の技術が有する上記のような問題点に鑑み、使用時に、座体を安定して強力に支持することができるとともに、不使用時には、座体を水平状態のまま移動させて、机の下にコンパクトに収容しうるようにした、構造が簡単で、安価に製造できる椅子を提供することを目的としている。
【０００８】
【課題を解決するための手段】
本発明によると、ベースに立設した脚支柱の上端部に座支基を設け、この座支基に座体を前後方向に摺動自在に装着し、背凭れを支持する背凭れ支杆の下端部を、前記ベースまたは脚支柱の下端部に、左右方向を向く軸をもって枢着し、かつ前記座体後部を、背凭れ支杆に、該背凭れ支杆の前後方向の回動に連動して、前後方向に移動するように、連係手段により連係する。
【０００９】
（２）上記(１)項において、連係手段を、座体に回動可能に支持された左右方向を向く軸の両端に、背凭れ支杆にその長手方向に摺動自在に係合する摺動部材を連設したものとする。
【００１０】
（３）上記(１)または(２)項において、座体を前方に向かって付勢する付勢手段を、座支基と座体との間に設ける。
【００１１】
（４）上記(１)〜(３)項のいずれかにおいて、座支基の両側部に複数の受けローラを軸着し、かつ座体の下面の両側部に設けた前後方向を向く内向きコ字状のレールを、各受けローラに外嵌する。
【００１２】
【発明の実施の形態】
以下、本発明の一実施形態を、添付図面を参照して説明する。
図１及び図３は、本発明の椅子の一実施形態の使用位置としたときの状態を、図２は、同じく使用位置と不使用位置の両方の状態を、図４は、同じく不使用位置としたときの状態を、また、図５は要部の詳細を示す。
【００１３】
この椅子(１)は、机(２)（図２の想像線参照）の後方（図２〜図５の左方を前方とする）の床面(３)上に、アンカーボルト(４)をもって固着したベース(５)のほぼ中央に立設された垂直の脚支柱(６)を備えている。脚支柱(６)の下端部及びベースはカバー(７)（図１〜図４の想像線参照）により覆われている。
【００１４】
脚支柱(６)は、角管よりなり、その上端には、上面が開口する浅い方形箱状の座支基(８)の下面中央が溶接により固着されている。座支基(８)の四方の縁には、上方を向く前壁(8a)、後壁(8b)及び左右１対の側壁(8c)が設けられている。
【００１５】
両側壁(8c)(8c)の外面側には、前後１対の受けローラ(９)(９)が、左右方向をを向く水平の軸(10)をもってそれぞれ枢着されている。
【００１６】
座体(11)の下面前後部には、左右方向を向く座支持板(12)(13)が固着されており、それらの座支持板(12)(13)の両側部には、前後方向を向くとともに、断面形が内向きコ字状をなす左右１対のレール(14)(14)が溶接等により固着されている。  両レール(14)(14)の前端下部同士は、側面視倒立Ｌ字状の前連結部材(16)により、後端部同士は垂直板状の後連結部材(17)によりそれぞれ連結されている。両レール(14)(14)の内側の開口縁部には、互いに上下内向きの短寸の折曲片(14a)(14a)が形成されている。
【００１７】
座支基(８)の両側壁(8c)(8c)に枢着された４個の受けローラ(９)には、両レール(14)(14)が外嵌され、それによって、座体(11)は、前後方向に移動しうるようになっている。
【００１８】
後連結部材(17)の前面中央には引掛部材(18)が、座支基(８)の前壁(8a)の後面中央には係合フック(19)が固着され、引掛部材(18)と係合フック(19)との間には、付勢手段である引張りコイルばね(20)の両端部が係止されている。座体(11)は、この引張りコイルばね(20)により、前方、すなわち不使用位置に向かって常時付勢されている。後壁(8b)の中央部には、引張りコイルばね(20)が挿通するようにした切欠部(8d)が形成されている。
【００１９】
背凭れ支杆(21)は、断面円形の管材を折曲して形成され、上半部は、倒立Ｕ字状をなして背凭れ(22)を支持する背凭れ支持部(21a)をなし、さらに下半部は、背凭れ支持部(21a)の両下端から座体(11)の下方に達する位置まで平行状態を保って直線状に延出する案内支持部(21b)と、案内支持部(21b)の下端から内方に向かって屈曲させられ、かつ脚支柱(６)の下端部の両側面を外側から挟持するようにして、左右方向を向く軸(23)をもって枢着された枢支部(21c)とからなっている。
【００２０】
左右１対のレール(14)(14)の後部下面には、軸受金具(24)(24)が、その中央のＵ字状の軸受部(24a)(24a)を、連係手段(25)における左右方向を向く軸(26)の両側部に下方より嵌合し、かつ軸受部(24a)の上端がレール(14)(14)の下面により閉塞されるようにして固着され、これにより、軸(26)が左右方向を向く軸まわりに回動可能として連結されている。
【００２１】
連係手段(25)は、軸(26)の両端に、円筒状をなす摺動部材(27)の中央部内側面にＴ字状をなすように連設された取付ボス部(27a)を固嵌したものよりなっている。摺動部材(27)には取付ボス部(27a)の軸方向と直交する方向に貫通する摺動支持孔(27b)が穿設され、摺動支持孔(27b)の内周部には合成樹脂等の低摩擦材で成形されたスリーブ(28)が圧入されている。軸(26)の両端に固着された摺動部材(27)の摺動支持孔(27b)には背凭れ支杆(21)の案内支持部(21b)が摺動自在に嵌挿されている。
【００２２】
連係手段(25)により、背凭れ支杆(21)と座体(11)とは、背凭れ支杆(21)の前後方向の回動に連動して、座体が前後方向に移動させられるように、互いに連係されている。
【００２３】
図１及び図３に示すように、座体(11)がほぼ水平をなし、背凭れ支杆(21)が後傾し、かつレール(14)(14)の前部下面に固着した前連結部材(16)の後面中央部に固着されたストッパ(29)が、脚支柱(６)の前面に当接した使用位置（図２における実線の状態）から、背凭れ支杆(21)を前方に起立するように所要角度回動させると、図２の想像線及び図４に示すように、レール(14)(14)の後端同士を連結する後連結部材(17)の前面が、座支基(８)の後壁(8b)の後面に固着されたストッパ(30)に当接した不使用位置（図２における想像線の状態）となる。
【００２４】
座体(11)の下面には、レール(14)(14)等を覆うように、カバー(31)が着脱自在に設けられている。このカバー(28)のほぼ中央には、脚支柱(６)が挿通する図示省略する前後方向に長い長孔と、連係手段(25)の軸(26)が挿通する通孔(31a)（図５参照）とが設けられている。
【００２５】
背凭れ支杆(21)は、引張りコイルばね(20)により、前方に向けて付勢されているので、椅子(１)は、常時は、図２及び図４に示すように、机(２)に近接した不使用位置に位置しており、椅子(１)の後方には、人が通れる程度の通路が形成される。
【００２６】
椅子(１)を使用するには、背凭れ(22)とともに背凭れ支杆(21)を、引張りコイルばね(20)の付勢力に抗して後方に回動させる。すると、それに伴って背凭れ支杆(21)に連係手段(25)を介し連係された座体(11)が後方に移動させられ、ストッパ(29)が脚支柱(６)の前面に当接することにより、使用位置に停止させられるので、その状態で座体(11)上に着座する。
【００２７】
使用後、椅子(１)から離れると、引張りコイルばね(20)の付勢力により、座体(11)が前方に移動し、それに伴って座体(11)に連係手段(25)を介して連係された背凭れ支杆(21)が前方に回動させられ、ストッパ(30)が後連結部材(17)の前面に当接して、椅子(１)は不使用位置で停止させられる。
【００２８】
本実施例によれば、使用位置としたとき、座体(11)の前部を脚支柱(６)により、同じく後部を背凭れ支杆(21)により、安定して強力に支持することができ、しかも、不使用時には、座体(11)を水平状態のまま前方に移動させて机(２)の下方にコンパクトに収容し、椅子(１)の後方に人が通行できる程度の通路を形成することができる。したがって、座体(11)上に荷物をおいたままでうっかり不使用位置にしても、荷物が座体(11)より落下することを防止できる。また、机(２)の下方に大きな収容空間を確保する必要もない。さらに本実施例の椅子(１)は構造が簡単なので、安価に製造できる。
【００２９】
なお、本発明は、上記実施形態のみに限定されるものではなく、幾多の変形した態様で実施することができる。
【００３０】
例えば、連係手段(25)は、背凭れ支杆(21)の案内支持部(21b)から内方に係合ピンを突設し、座体(11)の後部側面に前記係合ピンに係合可能な上下方向に長い長孔を形成し、両者を係合することによっても実施することができる。すなわち背凭れ支杆(21)の回動を座体(11)の前後方向の移動に変換出来る構造であれば、どのような構造のものでもよい。
【００３１】
上記実施形態においては、背凭れ支杆(21)の下端部の枢支部(21c)を、左右方向を向く軸(23)をもって脚支柱(６)の下端部の両側面に枢着しているが、枢支部(21c)は、ベース(５)に枢着してもよい。
【００３２】
【発明の効果】
請求項１記載の発明によると、使用位置としたとき、座体の前部を脚支柱により、同じく後部を背凭れ支杆により、安定して強力に支持することができ、しかも、不使用時には、座体をほぼ水平状態のまま前方に移動させて、机の下方にコンパクトに収容し、椅子の後方に人が通行できる程度の通路を形成することができる。したがって、座体上に荷物を載置したままでうっかり不使用位置としても、荷物が座体より落下することはない。また、机の下方に大きな収容空間を確保する必要もない。
【００３３】
請求項２記載の発明によると、連係手段を、円滑に作動できるとともに、簡単な構造とすることができ、安価に製造することができる。
【００３４】
請求項３記載の発明によると、付勢手段を、座体の下方の中空部に、コンパクトに、しかも外部に露呈しないように体裁よく収容することができる。
【００３５】
請求項４記載の発明によると、脚支柱は１本であっても、左右に離間した複数の受けローラにより、座体の前部を安定して支持することができるとともに、内向きコ字状のレールに受けローラが嵌合することにより、座体の前後動を円滑に案内できるだけでなく、座体の上下方への移動を阻止することができる。
【図面の簡単な説明】
【図１】本発明の一実施形態を、使用位置としたときの斜め前方より見た外観斜視図である。
【図２】同じく、使用位置としたときを実線で、また不使用位置としたときを想像線で示す側面図である。
【図３】同じく、使用位置としたときの、レールの中心で縦断した縦断側面図である。
【図４】同じく、不使用位置としたときの、図３と同様の縦断側面図である。
【図５】図４のＶ−Ｖ線に沿う拡大縦断正面図である。
【符号の説明】
(１)椅子
(２)机
(３)床面
(４)アンカーボルト
(５)ベース
(６)脚支柱
(７)カバー
(８)座支基
(8a)前壁
(8b)後壁
(8c)側壁
(8d)切欠部
(９)受けローラ
(10)軸
(11)座体
(12)(13)座支持板
(14)レール
(14a)折曲片
(16)前連結部材
(17)後連結部材
(18)引掛部材
(19)係合フック
(20)引張りコイルばね（付勢手段）
(21)背凭れ支杆
(21a)背凭れ支持部
(21b)案内支持部
(21c)枢支部
(22)背凭れ
(23)軸
(24)軸受金具
(24a)軸受部
(25)連係手段
(26)軸
(27)摺動部材
(27a)取付ボス部
(27b)摺動支持孔
(28)スリーブ
(29)ストッパ
(30)ストッパ
(31)カバー
(31a)通孔
【図１】
2004202054.tif 000003
【図２】
2004202054.tif 000004
【図３】
2004202054.tif 000005
【図４】
2004202054.tif 000006
【図５】
2004202054.tif 000007